(57)【要約】【課題】搬送時に、アップライトピアノに傷をつけにくい、アップライトピアノの梱包方法を提供する。【解決手段】底パレット３０にアップライトピアノ１０を積載し、帯状梱包用資材５０で底パレット３０の底面からとアップライトピアノ１０の上面までを環状に包囲し緊締する。その後、アップライトピアノ１０に外装ケース４０を被せ、底パレット３０に外装ケースを拘束する。従って、帯状梱包用資材５０で底パレット３０にアップライトピアノ１０が拘束され、アップライトピアノ１０の積載位置のずれ、および、揺れが抑止される。【選択図】  図３
2004203404.tif 000002
【特許請求の範囲】
【請求項１】
底板部材と該底板部材の所定位置に固定された土台受け部材とから成る底パレットにアップライトピアノを積載し、該アップライトピアノの上から底部が開口した箱状の外装ケースを被せ、前記底パレットに前記外装ケースを拘束するアップライトピアノの梱包方法であって、
前記底パレットに前記アップライトピアノを積載した後、前記底パレットと前記アップライトピアノとを帯状梱包用資材で環状に包囲することにより前記底パレットに前記アップライトピアノを拘束し、その後、該アップライトピアノの上から前記外装ケースを被せることを特徴とするアップライトピアノの梱包方法。
【請求項２】
請求項１に記載のアップライトピアノの梱包方法において、帯状梱包用資材は、延伸性のある包装資材であることを特徴とするアップライトピアノの梱包方法。
【請求項３】
請求項１に記載のアップライトピアノの梱包方法において、帯状梱包用資材は、結束資材であることを特徴とするアップライトピアノの梱包方法。
【発明の詳細な説明】
【０００１】
【発明の属する技術分野】
本発明は、アップライトピアノの梱包方法に関する。
【０００２】
【従来の技術】
従来、アップライトピアノの梱包は、底パレットにアップライトピアノを積載し、底パレットの上面およびアップライトピアノの上面等に、発泡プラスチック等の緩衝部材が各要所に貼着された段ボールからなる保護カバーを配置し、アップライトピアノの上から木製のパネルを組み立てた外装ケースを被せ、底パレットにその外装ケースを拘束するという手順で行われていた（例えば、特許文献１参照。）。
【０００３】
また、近年は、外装ケースに段ボールを使用することも行われている。
【０００４】
【特許文献１】
実公昭６２−１９５９２号公報
【０００５】
【発明が解決しようとする課題】
しかしながら、従来の梱包方法では、外装ケースの内側に配置される緩衝部材や外装ケース自体のへたり等により、アップライトピアノの梱包が緩み、アップライトピアノの積載位置にずれを起こし、アップライトピアノに歪みを発生することがあった。また、搬送時に、衝撃荷重等が加わった際、アップライトピアノに揺れが加わることがあった。その結果、アップライトピアノの上前板等の外装部品の脱落等が発生し、塗膜の割れ、あるいは、はがれ等の傷をつけることがあった。
【０００６】
一方こうした問題の解決策として、アップライトピアノを底パレットと、あるいは、木材を組み立てた外装ケースと、ボルトで直接に固定することが考えられるが、この方法では、梱包時および開梱時ともに作業性が極めて悪く、多大な労力を要することになってしまう。
【０００７】
本発明は、搬送時にアップライトピアノに傷をつけにくい、アップライトピアノの梱包方法を提供することを目的とする。
【０００８】
【課題を解決するための手段および発明の効果】
かかる課題を解決するためになされた請求項１に記載のアップライトピアノの梱包方法は、底板部材と底板部材の所定位置に固定された土台受け部材とから成る底パレットにアップライトピアノを積載し、アップライトピアノの上から底部が開口した箱状の外装ケースを被せ、底パレットに外装ケースを拘束するアップライトピアノの梱包方法であって、
底パレットにアップライトピアノを積載した後、底パレットとアップライトピアノとを帯状梱包用資材で環状に包囲することにより底パレットにアップライトピアノを拘束し、その後、アップライトピアノの上から外装ケースを被せることを特徴としている。
【０００９】
請求項１に記載のアップライトピアノの梱包方法によれば、底パレットにアップライトピアノを拘束しているので、アップライトピアノの積載位置のずれを抑止することができる。また、底パレットとアップライトピアノを帯状梱包用資材で環状に包囲しているので、搬送時のアップライトピアノの揺れを防ぎ、アップライトピアノの外装部品の脱落等を抑止することができる。したがって、外装ケース自体のへたり等により梱包が緩んだとしてもアップライトピアノに歪みを伴うこともなく、さらに、搬送時に、衝撃荷重等が加わった際でもアップライトピアノに傷をつけにくくなる。また、帯状梱包用資材による梱包作業は、極めて容易であり作業性が向上する。
【００１０】
ここで、帯状梱包用資材としては、請求項２に記載のように延伸性のある包装資材を使用することができる。あるいは、請求項３に記載のように結束資材を使用することができる。包装資材としては、特に、ストレッチフィルムのように伸ばしやすくかつ抜群の強靭性を発揮する包装資材であれば、底パレットやアップライトピアノのような異形の梱包物でも容易に包装することができる。また、結束資材としては、特に、ポリプロピレン製バンドのように強靭性に優れた結束資材であれば、取り扱いが簡単で、容易に結束することができる。したがって、これらの帯状梱包用資材を使用することにより、容易に梱包作業が行える。
【００１１】
【発明の実施の形態】
以下、本発明の実施形態を図面に基づいて説明する。
図１から図３は、本発明の梱包手順を示した説明図である。
まず、図１に示すように、底パレット３０の上面に開口６１を有するポリエチレン袋６０をその開口６１が上になるように置き、そして、底パレット３０に底パレット３０の上面に置かれたポリエチレン袋６０の開口６１からポリエチレン袋６０の袋内に収まるようにアップライトピアノ１０を積載する。さらに、ポリエチレン袋６０でアップライトピアノを覆い、ポリエチレン袋６０の袋内に充満している空気を抜き、そして、アップライトピアノ１０の上部でポリエチレン袋６０の開口６１を封止し、アップライトピアノ６０を包装する。
【００１２】
底パレット３０は、木製の平板材と棒材を格子状に組み合わせ、その上面に木製の一枚板を貼着した底板部材３１と、その底板部材３１の上面の所定位置に木製の棒材を配置し、その棒材の上面に端部を鉤状に形成した木製の棒材を固定した土台受け部材３２、で形成されている。
【００１３】
アップライトピアノ１０は、アップライトピアノ１０の前面下方に位置する前土台１６、および、アップライトピアノ１０の背面下方に位置する土台（図示なし）の下面が底パレット３０の上面の土台受け部材３２に当接するように積載され、底パレット３０の上面の土台受け部材３２の鉤状に形成された棒材の端部に前土台１６の前面が当接する位置に位置決めされている。
【００１４】
次に、図２に示すように、アップライトピアノ１０をストレッチフィルム５０で拘束する。底パレット３０の底面からアップライトピアノ１０の前面に沿って、アップライトピアノ１０の前面、中腹部、鍵盤（図示なし）前に位置する口棒１４および鍵盤蓋１３に当接し、そして、アップライトピアノ１０の上面に沿って、アップライトピアノ１０の前面、胸部に位置する上前板１２の上端部、および、アップライトピアノ１０の上部に位置する屋根前１１に当接し、さらに、アップライトピアノ１０の背面から底パレット３０の底面に沿って、底パレット３０とアップライトピアノ１０の外表面の相対する両側の二個所をストレッチフィルム５０で環状に包囲して緊締する。一般に、ストレッチフィルムは、引き伸ばしながら梱包物に覆い被せ、通常は、二回から三回、環状に包囲して緊締する。
【００１５】
それから、底パレット３０に拘束されたアップライトピアノ１０の上方よりその底部が底パレット３０の上面に当接するまでアップライトピアノ１０に外装ケース４０を被せる。
外装ケース４０は、底部が開口した箱状の段ボールで、その底部の大きさは、底パレット３０の上面の外縁とほぼ同じとし、その高さは、積載されたアップライトピアノ１０の上面を越え、互いが干渉しない程度にアップライトピアノ１０を完全に覆いつくせるものを用いる。
【００１６】
最後に、図３に示すように、底パレット３０の底面から外装ケース４０の前面、上面、背面に沿って、底パレット３０と外装ケース４０の外表面の相対する両側の二個所をポリプロピレン製バンド５１で環状に囲繞して結束する。
以上の手順により、アップライトピアノの梱包が完成する。
【００１７】
本実施形態によれば、底パレット３０にアップライトピアノ１０を拘束しているので、アップライトピアノ１０の積載位置のずれを抑止することができる。さらに、底パレット３０の底面からアップライトピアノ１０の上面までをストレッチフィルム５０で環状に包囲して緊締しているので、アップライトピアノ１０の揺れを抑止することができる。また、アップライトピアノ１０の上前板１２にストレッチフィルム５０が当接しているので、上前板１２の脱落等を抑止することができる。したがって、外装ケース自体のへたり等により梱包が緩んだとしてもアップライトピアノに歪みを伴うこともなく、さらに、搬送時に、衝撃荷重等が加わった際でもアップライトピアノに傷をつけにくくなる。また、ストレッチフィルムは、伸ばしやすくかつ抜群の強靭性を発揮するので、アップライトピアノのような異形の梱包物でも容易に梱包作業が行える。
【００１８】
また、従来の梱包方法では、発泡プラスチックの緩衝部材、あるいは、段ボールの緩衝部材、さらに、段ボールの保護カバーを用いて、アップライトピアノは、梱包されていたが、本実施形態においては、緩衝部材および保護カバーが不要となる。
【００１９】
上述した実施形態で、アップライトピアノ１０の拘束は、底パレット３０の底面からアップライトピアノ１０の前面、上面、背面に沿って、底パレット３０とアップライトピアノ１０の外表面の相対する両側の二個所をストレッチフィルム５０で環状に包囲して緊締しているが、例えば、底パレット３０とアップライトピアノ１０の外表面の中央および相対する両側の三個所をストレッチフィルム５０で環状に包囲して緊締してもよい。あるいは、底パレット３０とアップライトピアノ１０の外表面の中央の一個所をストレッチフィルム５０で環状に包囲して緊締してもよい。さらに、底パレット３０とアップライトピアノ１０の外表面の側部から相対する側部までを幅広く一個所をストレッチフィルム５０で環状に包囲して緊締してもよい。
【００２０】
また、アップライトピアノ１０の拘束は、図４（Ａ）に示すような実施形態も考えられる。本実施形態は、底パレット３０からアップライトピアノ１０の側面に沿って、アップライトピアノ１０の上面までをストレッチフィルム５０ａで環状に包囲して緊締しているので、アップライトピアノ１０は、四方を環状に包囲、緊締され、より強固に拘束されている。さらに、アップライトピアノ１０の前面、側面、背面に沿って、アップライトピアノ１０の前面、下腹部に位置する下前板１５に当接し、ストレッチフィルム５０ｂで環状に包囲して緊締しているので、下前板１５の脱落等を抑止することができる。
【００２１】
アップライトピアノ１０の拘束には、ストレッチフィルムを使用しているが、同様の機能を有する包装資材であればその限りではない。あるいは、ポリプロピレン製バンドのような結束資材を使用してもよい。例えば、図４（Ｂ）に示すような実施形態も考えられる。本実施形態において、ポリプロピレン製バンド５２、５２ａ、５２ｂは、ポリプロピレン製バンド５２、５２ａ、５２ｂが当接するアップライトピアノ１０の縁等の角部に段ボール等の保護パッド５３を貼着して、その保護パッド５３を介してアップライトピアノ１０に当接するように使用されることにより、好適にアップライトピアノの梱包に利用される。
【００２２】
また、底パレット３０は、木製の部材で形成されているが、アップライトピアノの重量に耐えうるものであればその材料を選ばない。例えば、金属あるいは合成樹脂で形成されたものでもよい。
また、外装ケース４０は、箱状の段ボールを用いているが、木材のパネルを箱状に組み立てたものでもよい。
【００２３】
外装ケース４０の拘束には、ポリプロピレン製バンドを使用しているが、同様の機能を有する結束資材であればその限りではない。あるいは、ストレッチフィルムのような包装資材を使用してもよい。あるいは、底パレット３０に外装ケース４０を勘合することにより拘束してもよい。
【００２４】
なお、以上述べた本発明の実施形態は、本発明の趣旨を逸脱しない限り互いに組み合わせることが可能である。また、以上の実施形態に何ら限定されるものではなく、本発明の技術的範囲に属する限り種々の形態を採り得ることはいうまでもない。
【図面の簡単な説明】
【図１】本発明の実施形態で第１の梱包手順を示す説明図である。
【図２】本発明の実施形態で第２の梱包手順を示す説明図である。
【図３】本発明の実施形態で第３の梱包手順を示す説明図である。
【図４】本発明のその他の実施形態で、アップライトピアノを拘束する方法を示す説明図である。
【符号の説明】
１０…アップライトピアノ、１１…屋根前、１２…上前板、１３…鍵盤蓋、１４…口棒、１５…下前板、１６…前土台、１７ａ，１７ｂ…キャスター、１８ａ，１８ｂ…妻土台、１９…ペダル、２０ａ，２０ｂ…棚受柱、２１ａ，２１ｂ…腕木、２２ａ，２２ｂ…親板、３０…底パレット、３１…底板部材、３２…土台受け部材、４０…外装ケース、５０，５０ａ，５０ｂ…ストレッチフィルム、５１，５２，５２ａ，５２ｂ…ポリプロピレン製バンド、５３…保護パッド、６０…ポリエチレン袋、６１…開口
【図１】
2004203404.tif 000003
【図２】
2004203404.tif 000004
【図３】
2004203404.tif 000005
【図４】
2004203404.tif 000006